(57)【要約】【課題】  コード類や大きな電気器具等でも、天板の下方に容易に挿通し得るようにする。  【解決手段】  天板４の下方に形成された配線スペースの上方の開口部１１に設けた可撓性の閉塞部材１８を、左右の脚柱２ａの上端部間に、開口部１１を閉塞する水平な閉塞位置と、開口部１１を開放するほぼ垂直な開放位置との間を回動し得るように設ける。【選択図】  図２
2005137712.tif 000002
【特許請求の範囲】
【請求項１】
天板の下方に形成された配線スペースの上方の開口部に設けた可撓性の閉塞部材を、机本体に、前記開口部を閉塞する水平な閉塞位置と、開口部を開放するほぼ垂直な開放位置との間を回動し得るように、左右方向を向く枢軸により枢支したことを特徴とする配線機能付き机。
【請求項２】
机本体の両側脚における対向面の後端上部に、１対の枢軸を内向きに突設し、該両枢軸に、閉塞部材の後端に設けた拡径方向に弾性変形可能なほぼＣ字状断面の枢支部を回動自在に嵌着した請求項１に記載の配線機能付き机。
【請求項３】
机本体の後端上部に設けたフレーム部材に、閉塞部材を閉塞位置と開放位置とに停止可能なストッパ部を有する支持部材を設けた請求項１または２に記載の配線機能付き机。
【請求項４】
支持部材を、側面視ほぼＬ字状の断面形状とするとともに、フレーム部材の後端上部に、前記Ｌ字状断面とした支持部材の後部の開口面を覆うカバー片を立設し、このカバー片と支持部材との間の凹状空間内において閉塞部材の後端部が回動するようにした請求項３に記載の配線機能付き机。
【請求項５】
閉塞部材の後端上部を、枢支部よりも後方に延出し、その延出部を、閉塞部材を上向きに回動させる操作片とした請求項１ないし４のいずれかに記載の配線機能付き机。
【請求項６】
閉塞部材が、枢軸に枢支された硬質の基部と、可撓部とを備え、該可撓部の後端部を、前記基部の前端に前向き突設された、下部のものを上部のものより短寸とした上下１対の保持片間に嵌合して保持した請求項１ないし５のいずれかに記載の配線機能付き机。
【発明の詳細な説明】
【技術分野】
【０００１】
本発明は、天板上に載置したＯＡ機器等のコード類や比較的大きな電気器具等を、天板の下方に挿通し得るようにした配線機能付き机に関する。
【背景技術】
【０００２】
この種の机としては、天板の後端部に配線挿通孔を設け、その部分に着脱可能に取付けた複数のカバーの一部を取外して、ＯＡ機器等のコード類を天板の下方の配線ダクトに配線したり、カバーの一部を薄肉とし、その部分を切除して開口することにより、コード類を下方に配線し得るようにしたものなどがある。
【０００３】
このような机では、一部のカバーを取外したり、薄肉部を切除したりするのが面倒であるとともに、コード類の挿通個所が限定され、ＯＡ機器等から最短距離で配線できないという問題がある。
また、カバーを取外したり、薄肉部を切除したりして形成された開口は、大きさが限られているため、コード類に接続したプラグやコンセント等の大きな電気器具を挿通することができないという問題もある。
【０００４】
このような問題を解決するものとして、奥行き寸法の大きな前方天板の後部に、奥行き寸法の小さな後方天板（閉塞部材）を、互いの対向間に隙間が形成されるように後端を枢支し、後方天板を上向きに回動させることにより、両天板間を大きく開口し、その開口より、コード類を接続したままの電気器具をくぐらせて、前方天板上に載置し得るように机がある。（例えば、特許文献１参照）。
【０００５】
【特許文献１】実公昭６０−２２８１９号公報
【発明の開示】
【発明が解決しようとする課題】
【０００６】
上記特許文献に記載されている従来の机においては、前後の天板の対向面に、前後方向に弾性変形可能な縁材を設け、電気器具のコード類を挟持するようになっている。
【０００７】
そのため、太さの大きいコード類のみを、縁材を弾性変形させて下方に配線するのは困難であり、その際にも後方天板を上向きに回動させる必要があり、配線作業が面倒となる。
【０００８】
本発明は、上記問題点を解決するためになされたもので、コード類や、それに接続された大きな電気器具等でも、天板の下方に容易に挿通することができるようにした配線機能付き机を提供することを目的としている。
【課題を解決するための手段】
【０００９】
上記課題を解決するために、本発明の請求項１に記載の配線機能付き机は、天板の下方に形成された配線スペースの上方の開口部に設けた可撓性の閉塞部材を、机本体に、前記開口部を閉塞する水平な閉塞位置と、開口部を開放するほぼ垂直な開放位置との間を回動し得るように、左右方向を向く枢軸により枢支したことを特徴としている。
この特徴によれば、小さなコード類は、閉塞部材を水平の閉塞位置のまま撓ませることで、容易に下方に配線することができる。また、閉塞部材をほぼ垂直な開放位置に回動することにより、コード類に接続された大きな電気器具等でも容易に下方に挿通することができる。
【００１０】
本発明の請求項２に記載の配線機能付き机は、請求項１に記載の配線機能付き机であって、机本体の両側脚における対向面の後端上部に、１対の枢軸を内向きに突設し、該両枢軸に、閉塞部材の後端に設けた拡径方向に弾性変形可能なほぼＣ字状断面の枢支部を回動自在に嵌着したことを特徴としている。
この特徴によれば、机本体に左右の枢軸を取付た状態で、閉塞部材の枢支部を簡単に嵌着し得るとともに、閉塞部材を単独で取外すこともできる。
【００１１】
本発明の請求項３に記載の配線機能付き机は、請求項１または２に記載の配線機能付き机であって、机本体の後端上部に設けたフレーム部材に、閉塞部材を閉塞位置と開放位置とに停止可能なストッパ部を有する支持部材を設けたことを特徴としている。
この特徴によれば、閉塞部材を閉塞位置と開放位置とに停止させる２個のストッパ部材を別途設ける必要がないので、部品点数や組付工数が削減される。
【００１２】
本発明の請求項４に記載の配線機能付き机は、請求項３に記載の配線機能付き机であって、支持部材を、側面視ほぼＬ字状の断面形状とするとともに、フレーム部材の後端上部に、前記Ｌ字状断面とした支持部材の後部の開口面を覆うカバー片を立設し、このカバー片と支持部材との間の凹状空間内において閉塞部材の後端部が回動するようにしたことを特徴としている。
この特徴によれば、閉塞部材の後端部の後方がカバー片により覆われるので、閉塞部材に後方から外力が加わるのが防止され、枢支部が枢軸より外れる恐れはない。
【００１３】
本発明の請求項５に記載の配線機能付き机は、請求項１ないし４のいずれかに記載の配線機能付き机であって、閉塞部材の後端上部を、枢支部よりも後方に延出し、その延出部を、閉塞部材を上向きに回動させる操作片としたことを特徴としている。
この特徴によれば、操作片を下向きに押動することにより、閉塞部材を開放位置に容易に回動させることができる。
【００１４】
本発明の請求項６に記載の配線機能付き机は、請求項１ないし５のいずれかに記載の配線機能付き机であって、閉塞部材が、枢軸に枢支された硬質の基部と、可撓部とを備え、該可撓部の後端部を、前記基部の前端に前向き突設された、下部のものを上部のものより短寸とした上下１対の保持片間に嵌合して保持したことを特徴としている。
この特徴によれば、可撓部を下方に撓ませると、その後端部上面と、基部の上部の保持片の下面との間に隙間が形成されるので、その隙間に指を挿し込んで上部の保持片を引き上げることにより、閉塞部材を容易に上向きに回動することができる。
【発明を実施するための最良の形態】
【００１５】
以下、本発明の実施形態を図面に基づいて説明する。
【００１６】
図１は、本発明の配線機能付き机の斜視図、図２は、図２のII−II線の拡大縦断側面図である。机本体１は、側面視前向きコ字状の左右１対の側脚２、２と、その後端の脚柱２ａの上端の対向面間に固着された横フレーム３と、上記両側脚２の上面に載置して固定された天板４と、左右の側脚２の後端の対向面と横フレーム３の後端下面との間に嵌め込まれた幕板５とを備えている。また、６は、側脚２の後部の側面を覆う側板である。
【００１７】
横フレーム３は、上面の後端縁にカバー片７が立設された覆むね縦長の角筒状断面をなし、全体がアルミニウム合金等の押し出し成形品よりなっている。カバー片７の上部は、上端に前方を向く上片７ａを有する側面視コ字状をなしている。
【００１８】
カバー片７の下部前面には、突条８が長手方向に全長にわたって突設され、その下面には、上向きの凹溝９が形成されている。また、カバー片７のコ字状部の下面には、幕板５の上端部が嵌合される嵌合溝１０が形成されている。
【００１９】
天板４の後端と横フレーム３との間には、所定幅の開口部１１が形成され、その下方の配線スペースには、開口部１１よりも幅広の上向きコ字状の配線ダクト１２が、その後部の上向片１２ａの上端の下向係止部１２ｂを、横フレーム３の前面の凹状係止部１３に係止することにより、着脱可能に取付けられている。
【００２０】
横フレーム３におけるカバー片７の下端と連続する上端面には、前端部下面に下向きの弾性係合片１４を有する側面視ほぼＬ字状断面の支持部材１５が載置され、水平をなす下片１５ａの後端の上向突条１６を上記カバー片７の凹溝９に下方より嵌合するとともに、弾性係合片１４の下端の係合爪１４ａを、横フレーム３の上端部の前面に形成した凹状係止部１７に弾性係合させることにより、着脱可能に固定されている。
【００２１】
支持部材１５の上向片１５ｂの上端は、カバー片７の上片７ａの上面よりも所要寸法低寸とされ、その上端は、後記する閉塞部材１８を水平の閉塞位置で停止させるストッパ部となっている。
【００２２】
また、上向片１５ｂの下端部に形成された後向きの断部１５ｃの後面は、閉塞部材１８を開放位置で停止させるストッパ部となっている。また、上記開口部１１は、閉塞部材１８により開閉可能に閉塞されている。
【００２３】
閉塞部材１８は、硬質合成樹脂製の基部１９と、可撓部２０とからなり、基部１９の前端には、下部のものが上部のものより短寸とされた上下１対の保持片２１、２２が、左右方向に全長にわたって前向きに突設されている。また、上部の保持片２１の下面中央には、下向突条２１ａが長手方向に向かって突設されている。
【００２４】
基部１９の後端には、後面が開口された、拡径方向に弾性変形可能なほぼＣ字状断面の枢支部２３が、長手方向に全長にわたって形成されている。また、基部１９の上面の後端には、枢支部２３よりも後方に延出する、後端が下向きに折曲された操作片２４が一体的に連設されている。
【００２５】
可撓部２０は、可撓性を有する例えばナイロン繊維を水平かつ前後方向を向くように多数並べて束ね、ブラシ状に形成したもので、その後端は、止め金具２５により挟着されている。
【００２６】
止め金具２５を、基部１９の上下の保持片２１、２２間に嵌合し、下向突条２１ａよりも奥部に位置させることにより、可撓部２０は抜け止めされて基部１９に固定される。
【００２７】
図３にも示すように、左右の脚柱２ａの上端部の内面には、左右方向を向く枢軸２６が対向状に突設され、両枢軸２６に、基部１９の枢支部２３を嵌合することにより、閉塞部材１８は、枢支部２３をカバー片７と支持部材１５との凹状空間内に位置させるとともに、開口部１１を開閉し得るようにして、両脚柱２ａにより上下に回動自在に枢着されている。
【００２８】
上記枢支部２３を枢軸２６に嵌合する際は、図３に示すように、閉塞部材１８を、基部１９を下方に向けてほぼ垂直として、両脚柱２ａ間に落とし込み、枢支部２３を枢軸２６に強く押し込んで若干拡径させることにより、容易に嵌合することができる。
【００２９】
また、枢支部２３を強く押し上げれば、閉塞部材１８のみを取外すこともでき、可撓部２０の清掃や交換等を容易に行うことができる。
【００３０】
取付後の閉塞部材１８は、基部１９の下面が支持部材１５の上向片１５ｂの上端に当接することにより、水平の閉塞位置に保持され、また基部１９の後部の操作片２４における折曲部の下端が、支持部材１５の段部１５ｃの後面に当接することにより、閉塞部材１８は、図２の２点鎖線で示すように、９０°を若干超える開放位置に保持されるようになっている。
【００３１】
閉塞部材１８を上向きに回動させる際は、操作片２４を下向きに押動することにより、容易に行うことができる。
【００３２】
また、可撓部２０の基部を下方に撓ませれば、長寸とした保持片２１の下面と可撓部２０との間に隙間が形成されるので、その隙間に指を挿し入れて保持片２１を引き上げることにより、閉塞部材１８を上向きに回動させることもできる。
【００３３】
閉塞部材１８の後方は、カバー片７により覆われているので、閉塞部材１８に外力が加わるなどして、枢支部２３が枢軸２６より外れたりするのが防止される。
【００３４】
ＯＡ機器等の比較的小さなコード類を開口部１１の下方に配線する際は、閉塞部材１８を水平の閉塞位置のまま、可撓部２０を側方に撓ませ、隙間を形成して行うことができる。
【００３５】
また、コード類に接続された大きな電気器具等は、閉塞部材１８を開放位置まで回動することにより、容易に配線ダクト１２内に収納することができる。
【００３６】
なお、上記実施形態においては、閉塞部材１８にブラシ状の可撓部２０を有するものを用いているが、軟質合成樹脂等よりなる可撓性の平板状の閉塞部材を用いてもよい。
【図面の簡単な説明】
【００３７】
【図１】本発明の配線機能付き机の斜視図である。
【図２】図       １のII−II線に沿う拡大縦断側面図である。
【図３】脚柱後部の枢軸取付部と、それに取付けられる閉塞部材との一部の斜視図である。
【符号の説明】
【００３８】
１                机本体
２                側脚
２ａ              脚柱
３                横フレーム（フレーム部材）
４                天板
５                幕板
６                側板
７                カバー片
７ａ              上片
８                突条
９                凹溝
１０              嵌合溝
１１              開口部
１２              配線ダクト
１２ａ            上向片
１２ｂ            下向係止部
１３              凹状係止部
１４              弾性係合片
１４ａ            係合爪
１５              支持部材
１５ａ            下片
１５ｂ            上向片
１５ｃ            段部
１６              上向突条
１７              凹状係止部
１８              閉塞部材
１９              基部
２０              可撓部
２１、２２        保持片
２１ａ            下向突条
２３              枢支部
２４              操作片
２５              止め金具
２６              枢軸
【図１】
2005137712.tif 000003
【図２】
2005137712.tif 000004
【図３】
2005137712.tif 000005